(57)【要約】      （修正有）【課題】ユーザが安心して遊技を楽しめるシステムを提供する。【解決手段】表示部１３０と、表示／非表示の指定を受け付けて、表示部１３０に数字を表示したり非表示にしたりするためのプロセッサとを備える、台間機が提供される。あるいは、台間機と通信するための通信インターフェイスと、表示／非表示の指定を受け付けて、通信インターフェイスを介して台間機に数字を表示させたり非表示にさせたりするためのプロセッサとを備える、サーバが提供される。【選択図】図７
2019136236.tif 000002
【特許請求の範囲】
【請求項１】
表示部と、
表示／非表示の指定を受け付けて、前記表示部に数字を表示したり非表示にしたりするためのプロセッサとを備える、台間機。
【請求項２】
前記数字は、貯玉の数と持ち玉の数とを含み、
前記プロセッサは、貯玉の数の表示／非表示の指定に基づいて前記表示部の貯玉の数の表示／非表示を切り替えて、持ち玉の数の表示／非表示の指定に基づいて前記表示部の持ち玉の数の表示／非表示を切り替える、請求項１に記載の台間機。
【請求項３】
台間機と通信するための通信インターフェイスと、
表示／非表示の指定を受け付けて、前記通信インターフェイスを介して前記台間機に数字を表示させたり非表示にさせたりするためのプロセッサとを備える、サーバ。
【請求項４】
前記数字は、貯玉の数と持ち玉の数とを含み、
前記サーバは、貯玉の数の表示／非表示の指定に基づいて前記台間機の貯玉の数の表示／非表示を切り替えて、持ち玉の数の表示／非表示の指定に基づいて前記台間機の持ち玉の数の表示／非表示を切り替える、請求項３に記載のサーバ。
【請求項５】
請求項３または４に記載のサーバと台間機とを備える台間機用システム。
【発明の詳細な説明】
【技術分野】
【０００１】
本発明は、遊技台の間や近傍に配置される玉貸機やメダル貸機などの台間機の技術に関する。
【背景技術】
【０００２】
従来から、遊技台の間に配置される玉貸機やメダル貸機などの台間機が知られている。たとえば、特開２０１４−１８０３１３号公報（特許文献１）には、遊技媒体貸出機および遊技媒体計数ユニットが開示されている。特許文献１によると、メダル貸出機は、メダルを払い出すメダル払出部と、メダル払出部から払い出されたメダルを遊技機の受け皿へ案内する案内部と、案内部の上方に配置され、計数対象のメダルを受け入れる受入部と、案内部の下方に配置され、受入部に受け入れられたメダルが導入される導入部を有し、当該メダルを計数する計数部と、案内部の側方を通るように配置され、受入部から導入部にメダルを導く通路とを備えている。
【先行技術文献】
【特許文献】
【０００３】
【特許文献１】特開２０１４−１８０３１３号公報
【発明の概要】
【発明が解決しようとする課題】
【０００４】
ユーザが安心して遊技を楽しめるシステムが求められている。そこで、本発明の目的は、ユーザが安心して遊技を楽しめるシステムを提供することにある。
【課題を解決するための手段】
【０００５】
この発明のある態様に従うと、表示部と、表示／非表示の指定を受け付けて、表示部に数字を表示したり非表示にしたりするためのプロセッサとを備える、台間機が提供される。
【発明の効果】
【０００６】
以上のように、本発明によれば、ユーザが安心して遊技を楽しめるシステムが提供される。
【図面の簡単な説明】
【０００７】
【図１】第１の実施の形態にかかる台間玉貸機１００の正面図である。
【図２】第１の実施の形態にかかる台間玉貸機１００の側面断面図である。
【図３】第１の実施の形態にかかる台間玉貸機１００の背面図である。
【図４】第１の実施の形態にかかる台間機用システム１のイメージ図である。
【図５】第１の実施の形態にかかるプライバシー設定情報１１２１のイメージ図である。
【図６】第１の実施の形態にかかる台間玉貸機１００のタッチパネル１３０の第１の画面例のイメージ図である。
【図７】第１の実施の形態にかかる台間玉貸機１００のタッチパネル１３０の第２の画面例のイメージ図である。
【図８】第１の実施の形態にかかる台間玉貸機１００のタッチパネル１３０の第３の画面例のイメージ図である。
【図９】第１の実施の形態にかかる台間玉貸機１００のタッチパネル１３０の第４の画面例のイメージ図である。
【図１０】第１の実施の形態にかかるサーバ３００の構成を示すブロック図である。
【図１１】第１の実施の形態にかかる台間玉貸機データベース３２１を示すイメージ図である。
【図１２】第１の実施の形態にかかる貯玉持ち玉データベース３２２を示すイメージ図である。
【図１３】第３の実施の形態にかかる第１のプライバシー設定情報３２３のイメージ図である。
【図１４】第３の実施の形態にかかる第２のプライバシー設定情報３２３Ｂのイメージ図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜台間玉貸機１００の構成＞
【０００９】
まず、本実施の形態にかかる台間玉貸機１００の構成について説明する。図１は、本実施の形態にかかる台間玉貸機１００の正面図である。図２は、本実施の形態にかかる台間玉貸機１００の側面断面図である。
【００１０】
図１と図２とを参照して、台間玉貸機１００は、主に、状態表示ランプ１０１と、紙幣挿入口１０２と、紙幣識別機１１５と、タッチパネル１３０と、払い出しスイッチ１０４と、貸出ノズル１０５と、メンテナンスタグタッチセンサ１０６と、カード挿入排出口１０７と、カードリーダライタユニット１１７と、計数機１０８と、玉切りユニット１１６と、制御基板１１０と、外部接続基板１６０とを有する。
【００１１】
紙幣挿入口１０２には紙幣が挿入される。紙幣識別機１１５は紙幣を識別し、識別結果を制御基板１１０のＣＰＵ（Central Processing Unit）１１１に受け渡す。ＣＰＵ１１１は、同じく制御基板１１０のメモリ１１２にデータを蓄積したりデータを読み出したりする。ＣＰＵ１１１は、メンテナンスタグタッチセンサ１０６からの信号に基づいて、メンテナスモードに移行する。カード挿入排出口１０７は、会員カードやビジターカードを受け付ける。ＣＰＵ１１１は、カードリーダライタユニット１１７を利用して会員ＩＤカードやビジターカードから識別情報を読み出したり、計数機１０８からカウント結果を取得したり、貯玉や持ち玉に関する情報を外部接続基板１６０を介してサーバ３００と送受信したりする。ＣＰＵ１１１は、タッチパネル１３０に各種情報を表示させたり、各種命令を受け付けたりする。ＣＰＵ１１１は、払い出しスイッチ１０４からの信号に基づいて貸出ノズル１０５から玉を出力する。
【００１２】
なお、これらの各部は、その全てが台間玉貸機１００に搭載される必要があるわけではなく、たとえば貸出ノズル１０５は無くてもよく、遊技台２００などの他の装置から玉を出力してもよい。
【００１３】
図３は、本実施の形態にかかる台間玉貸機１００の背面図である。図３を参照して、外部接続基板１６０には、社内ＬＡＮ（Local Area Network）やＷＡＮ（Wide Area Network）を介してサーバ３００などの他の装置と通信するための接続コネクタ１６１が設けられる。また、外部接続基板１６０には、対応する遊技台と通信するための接続コネクタ１６３も設けられている。
＜台間機用システム１の構成＞
【００１４】
次に、本実施の形態にかかる台間機用システム１の構成について説明する。図４は、本実施の形態にかかる台間機用システム１のイメージ図である。図４を参照して、台間機用システム１は、複数の遊技台２００，２００・・・と、それらの間に設置される複数の台間玉貸機１００，１００・・・と、台間玉貸機１００，１００・・・と通信可能なサーバ３００とを含む。
【００１５】
そして、本実施の形態においては、台間玉貸機１００の制御基板１１０のＣＰＵ１１１は、遊技者が遊技台２００での遊技中に、サーバ３００から各種の情報を取得して、タッチパネル１３０に各種の情報を表示させる。たとえば、ＣＰＵ１１１は、カードリーダライタユニット１１７を介して取得した会員ＩＤカードの識別情報やビジターカードの識別情報をサーバ３００に送信することによって、ユーザが現在有している貯玉や持ち玉に関するデータを受信する。そして、ＣＰＵ１１１は、タッチパネル１３０に貯玉や持ち玉を表示させる。なお、持ち玉情報はサーバ３００からデータを取得する場合に限らず、計数機１０８で計数するときにもタッチパネル１３０に表示される。
【００１６】
なお、ここで、本実施の形態にかかる「持ち玉」とは、主に、遊技台２００からの出玉のことをいう。一方、貯玉は会員ＩＤカードに対応付けて記録されている玉のことである。
【００１７】
そして特に本実施の形態においては、台間玉貸機１００のメモリ１１２は、プライバシーに関する各種の設定情報を格納する。図５は、本実施の形態にかかるプライバシー設定情報１１２１を示すイメージ図である。プライバシー設定情報１１２１は、貯玉および持ち玉に関する情報の表示／非表示に関するユーザからの設定を格納するものである。これによって、ＣＰＵ１１１は、ユーザが現在有している貯玉や持ち玉に関するデータをサーバ３００から受信した際に、プライバシー設定情報１１２１に従って貯玉や持ち玉を表示したり非表示にしたりする。
【００１８】
たとえば、ユーザからの所定の命令を受け付けて、ＣＰＵ１１１は、図６（Ａ）に示すようなメニュー画面をタッチパネル１３０に表示させる。ユーザが、プライバシーを設定するためのボタン１３１を押すと、ＣＰＵ１１１は、図６（Ｂ）に示すように、貯玉の表示／非表示を設定するためのボタン１３６や、持ち玉の表示／非表示を設定するためのボタン１３７をタッチパネル１３０に表示させる。
【００１９】
ユーザが、貯玉に対して表示を設定し、持ち玉に対して表示を設定して、ＯＫボタン１３３を押すと、ＣＰＵ１１１は、プライバシー設定情報１１２１を更新して、図６（Ｃ）に示すように、ユーザが現在有している貯玉や持ち玉に関するサーバ３００からのデータに基づいて、貯玉も持ち玉も表示する。これによって、ユーザは、容易に貯玉や持ち玉を確認することができる。
【００２０】
また、図７（Ｂ）に示すように、ユーザが、貯玉に対して表示を設定し、持ち玉に対して非表示を設定して、ＯＫボタン１３３を押すと、ＣＰＵ１１１は、プライバシー設定情報１１２１を更新して、図７（Ｃ）に示すように、ユーザが現在有している貯玉や持ち玉に関するサーバ３００からのデータに基づいて、貯玉は表示するが、持ち玉は表示しない。これによって、現在の持ち玉保有価値を周囲の人から解り難くすることができる。その結果、周囲の人からのゆすり集り等の行為の対象となる可能性を低減することができる。
【００２１】
また、図８（Ｂ）に示すように、ユーザが、貯玉の非表示を設定し、持ち玉の表示を設定して、ＯＫボタン１３３を押すと、ＣＰＵ１１１は、プライバシー設定情報１１２１を更新して、図８（Ｃ）に示すように、ユーザが現在有している貯玉や持ち玉に関するサーバ３００からのデータに基づいて、貯玉は表示しないが、持ち玉は表示する。これによって、現在の貯玉保有価値を周囲の人から解り難くすることができる。その結果、周囲の人からのゆすり集り等の行為の対象となる可能性を低減することができる。
【００２２】
また、図９（Ｂ）に示すように、ユーザが、貯玉に対して非表示を設定し、持ち玉に対して非表示を設定して、ＯＫボタン１３３を押すと、ＣＰＵ１１１は、プライバシー設定情報１１２１を更新して、図９（Ｃ）に示すように、ユーザが現在有している貯玉や持ち玉に関するサーバ３００からのデータを受信しても、貯玉も持ち玉も非表示にする。これによって、ユーザの所持する貯玉保有価値、持ち玉保有価値を、周囲の人から解り難くすることができる。
＜サーバ３００の構成＞
【００２３】
次にサーバ３００について説明する。図１０を参照して、本実施の形態にかかるサーバ３００は、主に、ＣＰＵ（Central Processing Unit）３１０、メモリ３２０、操作部３３０、通信インターフェイス３６０などを有する。なお、サーバ３００は、遊技台２００，２００・・・や台間玉貸機１００，１００・・・が配置される店舗内に配置されるものであってもよいし、店舗外に配置されてインターネットやキャリア網を介して遠隔から台間玉貸機１００，１００・・・と通信するものであってもよい。
【００２４】
ＣＰＵ３１０は、メモリ３２０に格納されているプログラムを実行し、メモリ３２０や他のデータベースのデータを参照することによって各種の処理を実行する。
【００２５】
メモリ３２０は、各種のＲＡＭ（Random  Access  Memory）、各種のＲＯＭ（Read-Only  Memory）などによって実現され、サーバ３００に内包されているものであってもよいし、サーバ３００の各種インターフェイスに着脱可能なものであってもよいし、サーバ３００からアクセス可能な他の装置の記録媒体であってもよい。メモリ３２０は、ＣＰＵ３１０によって実行されるプログラムや、ＣＰＵ３１０によるプログラムの実行により生成されたデータ、その他の本実施の形態にかかるサービスに利用されるデータベースなどを記憶する。
【００２６】
たとえば、メモリ３２０は、図１１に示すような台間玉貸機データベース３２１を記憶する。台間玉貸機データベース３２１は、台間玉貸機１００毎に、台間玉貸機１００の識別情報と、台間玉貸機１００が配置される店舗の識別情報と、台間玉貸機１００が属する列や島の識別情報と、台間玉貸機１００に対応する遊技台２００の識別情報と、台間玉貸機１００に対応する遊技台２００の種類の識別情報と、現在使用中の遊技者の識別情報などの対応関係を格納する。
【００２７】
なお、ここで、台間玉貸機１００，１００・・・の属する列や島とは、サーバ３００の管理者が列ＩＤを設定することによって自由に定義できるものである。たとえば、実際に遊技台２００の正面視において左右方向に並んでいる複数の台間玉貸機１００，１００を列に設定してもよいし、実際にまとまって配置されている複数の台間玉貸機１００，１００を島に設定してもよいし、同じ種類の台間玉貸機１００，１００・・・を１つの列や島に設定したりすることもできる。
【００２８】
また、メモリ３２０は、図１２に示すような貯玉持ち玉データベース３２２を記憶する。貯玉持ち玉データベース３２２は、ユーザ毎に、会員ＩＤカードや会員ＩＣタグなどに対応付けられたユーザの識別情報と、現在の貯玉と、現在の持ち玉との対応関係を格納する。本実施の形態においては、貯玉持ち玉データベース３２２は、さらに、ビジターカード毎に、カードの識別情報と、現在の持ち玉との対応関係を格納する。
【００２９】
図１０に戻って、操作部３３０は、店舗の管理者などの各種命令を受け付けて、当該命令をＣＰＵ３１０に入力する。
【００３０】
通信インターフェイス３６０は、ＣＰＵ３１０からのデータを、ＬＡＮやインターネットやキャリア網やルータなどを介して、台間玉貸機１００，１００・・・などの他の装置に送信する。逆に、通信インターフェイス３６０は、ＬＡＮやインターネットやキャリア網やルータなどを介して、台間玉貸機１００，１００・・・などの他の装置からのデータを受信してＣＰＵ３１０に受け渡す。
【００３１】
たとえば、ＣＰＵ３１０は、通信インターフェイス３６０を介して、台間玉貸機１００から会員ＩＤカードやビジターカードの識別情報を受信すると、貯玉持ち玉データベース３２２を参照して、現在の貯玉と現在の持ち玉とを台間玉貸機１００に送信する。また、ＣＰＵ３１０は、台間玉貸機１００から会員ＩＤカードやビジターカードの識別情報とともに、貯玉や持ち玉の変動に関するデータを受信して、貯玉持ち玉データベース３２２を更新する。
＜第２の実施の形態＞
【００３２】
上記の実施の形態においては、サーバ３００が、会員ＩＤカードに対応する貯玉や持ち玉を記憶・管理し、ビジターカードに対応する持ち玉も記憶・管理するものであった。しかしながら、ビジターカード自体が持ち玉を記憶するものであってもよい。すなわち、台間玉貸機１００は、ビジターカードを読み込んだ場合は、サーバ３００ではなく、ビジターカードから持ち玉を読み出してもよい。
【００３３】
さらには、会員ＩＤカード自体が貯玉や持ち玉を記憶するものであってもよい。すなわち、台間玉貸機１００は、会員ＩＤカードを読み込んだ場合も、サーバ３００ではなく、会員ＩＤカードから貯玉や持ち玉を読み出してもよい。
【００３４】
また、カードに限らず、ＩＣタグやスマートフォンのアプリケーションなどが、貯玉や持ち玉を記憶するものであってもよい。この場合は、台間玉貸機１００は、接触センサまたは非接触センサを利用して、直接的または間接的に、ＩＣタグやスマートフォンのアプリケーションなどから貯玉や持ち玉に関するデータを取得してもよい。
＜第３の実施の形態＞
【００３５】
上記の実施の形態においては、台間玉貸機１００が、プライバシー設定情報１１２１を記憶・管理するものであった。しかしながら、サーバ３００のメモリ３２０に、プライバシー設定情報を記憶するものであってもよい。
【００３６】
より詳細には、図１３を参照して、サーバ３００のメモリ３２０がプライバシー設定情報３２３を記憶する。プライバシー設定情報３２３は、ユーザ毎に、会員ＩＤカードに対応付けられたユーザの識別情報と、貯玉の表示／非表示の設定と、持ち玉の表示／非表示の設定との対応関係を格納する。本実施の形態においては、プライバシー設定情報３２３は、さらに、ビジターカード毎に、カードの識別情報と、持ち玉の表示／非表示の設定との対応関係を格納する。
【００３７】
本実施の形態においては、台間玉貸機１００のＣＰＵ１１１は、図６（Ｂ）、図７（Ｂ）、図８（Ｂ）、図９（Ｂ）に示すように、タッチパネル１３０を介して入力された貯玉の表示／非表示の設定命令や持ち玉の表示／非表示の設定命令を、会員ＩＤカードやビジターカードの識別情報とともに、通信インターフェイス１６０を介してサーバ３００に送信する。サーバ３００のＣＰＵ３１０は、台間玉貸機１００から受信したデータに応じて、会員ＩＤカードやビジターカードの識別情報に基づいて、プライバシー設定情報３２３を更新する。
【００３８】
そして、サーバ３００のＣＰＵ３１０は、貯玉や持ち玉のデータを要求された際に、通信インターフェイス３６０を介して台間玉貸機１００に、貯玉や持ち玉のデータを送信するとともに、プライバシー設定情報３２３に基づいて表示／非表示の設定も送信する。このようにして、サーバ３００は、台間玉貸機１００における貯玉や持ち玉の表示／非表示を遠隔から制御する。
【００３９】
あるいは、図１４を参照して、サーバ３００のメモリ３２０のプライバシー設定情報３２３Ｂは、台間玉貸機１００毎に、台間玉貸機１００の識別情報と、貯玉の表示／非表示の設定と、持ち玉の表示／非表示の設定との対応関係を格納する。
【００４０】
この場合は、台間玉貸機１００のＣＰＵ１１１は、図６（Ｂ）、図７（Ｂ）、図８（Ｂ）、図９（Ｂ）に示すように、タッチパネル１３０を介して入力された貯玉の表示／非表示の設定命令や持ち玉の表示／非表示の設定命令を、台間玉貸機１００の識別情報とともに、通信インターフェイス１６０を介してサーバ３００に送信する。サーバ３００のＣＰＵ３１０は、台間玉貸機１００から受信したデータに応じて、台間玉貸機１００の識別情報に基づいて、プライバシー設定情報３２３Ｂを更新する。
【００４１】
そして、サーバ３００のＣＰＵ３１０は、貯玉や持ち玉のデータを要求された際に、通信インターフェイス３６０を介して台間玉貸機１００に、貯玉や持ち玉のデータを送信するとともに、プライバシー設定情報３２３に基づいて表示／非表示の設定も送信する。これによって、サーバ３００は、台間玉貸機１００における貯玉や持ち玉の表示／非表示を制御する。
＜第４の実施の形態＞
【００４２】
なお、さらには、会員ＩＤカードやビジターカードやＩＣタグやスマートフォンのアプリケーションなどが、貯玉の表示／非表示の設定と、持ち玉の表示／非表示の設定とを記憶するものであってもよい。すなわち、台間玉貸機１００のＣＰＵ１１１は、図６（Ｂ）、図７（Ｂ）、図８（Ｂ）、図９（Ｂ）に示すように、タッチパネル１３０を介して入力された貯玉の表示／非表示の設定や持ち玉の表示／非表示の設定を、会員ＩＤカードやビジターカードやＩＣタグやスマートフォンのアプリケーションなどに記憶させる。そして、台間玉貸機１００のＣＰＵ１１１は、会員ＩＤカードやビジターカードやＩＣタグやスマートフォンのアプリケーションから貯玉の表示／非表示の設定や持ち玉の表示／非表示の設定を読み出して、貯玉や持ち玉を表示したり非表示にしたりする。
＜第５の実施の形態＞
【００４３】
上記の技術は、貯玉や持ち玉に関する情報だけでなく、利用金額、遊技時間、来店回数などに適用することもできる。さらには、台間玉貸機１００に限らず、台間メダル貸機などのメダル数にも適用可能である。
＜第６の実施の形態＞
【００４４】
上記の実施の形態の台間機用システム１の各装置の役割の一部または全部を他の装置が実行してもよい。たとえば、台間玉貸機１００やサーバ３００の各々の役割の一部または全部を別の装置が担ったり、台間玉貸機１００やサーバ３００の各々の役割の一部または全部を複数の装置で担ったりしてもよい。
＜まとめ＞
【００４５】
上記の実施の形態においては、表示部１３０と、表示／非表示の指定を受け付けて、表示部１３０に数字を表示したり非表示にしたりするためのプロセッサ１１１とを備える、台間機１００が提供される。
【００４６】
好ましくは、数字は、貯玉の数と持ち玉の数とを含む。プロセッサ１１１は、貯玉の数の表示／非表示の指定に基づいて表示部１３０の貯玉の数の表示／非表示を切り替えて、持ち玉の数の表示／非表示の指定に基づいて表示部１３０の持ち玉の数の表示／非表示を切り替える。
【００４７】
上記の実施の形態においては、台間機１００と通信するための通信インターフェイス３６０と、表示／非表示の指定を受け付けて、通信インターフェイス３６０を介して台間機１００に数字を表示させたり非表示にさせたりするためのプロセッサ３１０とを備える、サーバ３００が提供される。
【００４８】
好ましくは、数字は、貯玉の数と持ち玉の数とを含む。サーバ３００は、貯玉の数の表示／非表示の指定に基づいて台間機１００の貯玉の数の表示／非表示を切り替えて、持ち玉の数の表示／非表示の指定に基づいて台間機１００の持ち玉の数の表示／非表示を切り替える。
【００４９】
上記の実施の形態においては、上記のサーバ３００と上記の台間機１００とを備える台間機用システム１が提供される。
【００５０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５１】
１        ：台間機用システム
１００    ：台間玉貸機
１０１    ：状態表示ランプ
１０２    ：紙幣挿入口
１０４    ：払い出しスイッチ
１０５    ：貸出ノズル
１０６    ：メンテナンスタグタッチセンサ
１０７    ：カード挿入排出口
１０８    ：計数機
１１０    ：制御基板
１１１    ：ＣＰＵ
１１２    ：メモリ
１１２１  ：プライバシー設定情報
１１５    ：紙幣識別機
１１６    ：玉切りユニット
１１７    ：カードリーダライタユニット
１３０    ：タッチパネル
１３１    ：ボタン
１３３    ：ＯＫボタン
１３６    ：ボタン
１３７    ：ボタン
１６０    ：通信インターフェイス
１６１    ：接続コネクタ
１６３    ：接続コネクタ
２００    ：遊技台
３００    ：サーバ
３１０    ：ＣＰＵ
３２０    ：メモリ
３２１    ：台間玉貸機データベース
３２２    ：貯玉持ち玉データベース
３２３    ：プライバシー設定情報
３２３Ｂ  ：プライバシー設定情報
３３０    ：操作部
３６０    ：通信インターフェイス
【図１】
2019136236.tif 000003
【図２】
2019136236.tif 000004
【図３】
2019136236.tif 000005
【図４】
2019136236.tif 000006
【図５】
2019136236.tif 000007
【図６】
2019136236.tif 000008
【図７】
2019136236.tif 000009
【図８】
2019136236.tif 000010
【図９】
2019136236.tif 000011
【図１０】
2019136236.tif 000012
【図１１】
2019136236.tif 000013
【図１２】
2019136236.tif 000014
【図１３】
2019136236.tif 000015
【図１４】
2019136236.tif 000016
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
表示部と、プロセッサと、を備える台間機であって、
前記プロセッサは、貯玉の数の表示／非表示の第１の指定を受け付けて、前記第１の指定に応じて前記表示部の貯玉の数の表示／非表示を切り替え、持ち玉の数の表示／非表示の第２の指定を受け付けて、前記第２の指定に応じて前記表示部の持ち玉の数の表示／非表示を切り替える、台間機。
【請求項２】
台間機と通信するための通信インターフェイスと、プロセッサと、を備えるサーバであって、
前記プロセッサは、前記通信インターフェイスを介して前記台間機から貯玉の数の表示／非表示の第１の指定を受け付けて、前記第１の指定に応じて前記台間機の貯玉の数の表示／非表示を切り替え、前記通信インターフェイスを介して前記台間機から持ち玉の数の表示／非表示の第２の指定を受け付けて、前記第２の指定に応じて前記台間機の持ち玉の数の表示／非表示を切り替える、サーバ。
【請求項３】
請求項２に記載のサーバと台間機とを備える台間機用システム。
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
表示部と、プロセッサと、を備える台間機であって、
前記プロセッサは、メニュー画面においてプライバシーの設定画面に移行する命令を受け付けると前記表示部をプライバシーの設定画面に移行させ、当該プライバシーの設定画面において、貯玉の数の表示／非表示の第１の指定を受け付けて、前記第１の指定に応じて前記表示部の貯玉の数の表示／非表示を切り替え、持ち玉の数の表示／非表示の第２の指定を受け付けて、前記第２の指定に応じて前記表示部の持ち玉の数の表示／非表示を切り替える、台間機。
【請求項２】
台間機と通信するための通信インターフェイスと、プロセッサと、を備えるサーバであって、
前記プロセッサは、前記通信インターフェイスを介して前記台間機から貯玉の数の表示／非表示の第１の指定を受け付けて、前記第１の指定に応じて前記台間機の貯玉の数の表示／非表示を切り替え、前記通信インターフェイスを介して前記台間機から持ち玉の数の表示／非表示の第２の指定を受け付けて、前記第２の指定に応じて前記台間機の持ち玉の数の表示／非表示を切り替える、サーバ。
【請求項３】
請求項２に記載のサーバと台間機とを備える台間機用システム。
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
台間機と通信するための通信インターフェイスと、プロセッサと、を備えるサーバであって、
前記プロセッサは、前記通信インターフェイスを介して前記台間機からユーザによる貯玉の数の表示／非表示の第１の指定を受け付けて、前記第１の指定に応じて前記台間機の貯玉の数の表示／非表示を切り替え、前記通信インターフェイスを介して前記台間機からユーザによる持ち玉の数の表示／非表示の第２の指定を受け付けて、前記第２の指定に応じて前記台間機の持ち玉の数の表示／非表示を切り替える、サーバ。
【請求項２】
請求項１に記載のサーバと台間機とを備える台間機用システム。